【手続補正書】
【提出日】平成29年5月29日(2017.5.29)
【手続補正１】
【補正対象書類名】明細書
【補正対象項目名】０００９
【補正方法】変更
【補正の内容】
【０００９】
上記の目的を達成するため、本発明による撮像装置は、２次元マトリックス状に配列された複数の単位画素領域を備える撮像素子を備え、前記撮像素子から画像信号を得る撮像装置であって、前記単位画素領域に含まれる第１の画素と第２の画素の電荷の蓄積時間をそれぞれ第１の蓄積時間および第２の蓄積時間として設定する設定手段と、フリッカーの光量変化特性を検出するために用いる画像信号を取得する第１のモードと被写体輝度を検出するために用いる画像信号を取得する第２のモードとのいずれかを選択するモード選択手段と、を有し、前記設定手段は、前記モード選択手段によって前記第１のモードが選択された場合、前記複数の単位画素領域に含まれる複数の前記第１の画素の前記第１の蓄積時間の重心位置である第１の重心位置と、前記複数の単位画素領域に含まれる複数の前記第２の画素の前記第２の蓄積時間の重心位置である第２の重心位置とが一致するように、前記第１の蓄積時間と前記第２の蓄積時間を設定し、さらに、前記設定手段は、前記第１のモードでフリッカーが検出された後に前記モード選択手段により前記第２のモードが選択された場合は、当該フリッカーの光量変化特性に基づいて前記第１の蓄積時間および前記第２の蓄積時間を設定し、前記第１のモードでフリッカーが検出されておらず、その後に前記モード選択手段により前記第２のモードが選択された場合は、フリッカーの光量変化特性に依らずに前記第１の蓄積時間および前記第２の蓄積時間を設定することを特徴とする。
【手続補正２】
【補正対象書類名】明細書
【補正対象項目名】００１０
【補正方法】変更
【補正の内容】
【００１０】
本発明による制御方法は、２次元マトリックス状に配列された複数の単位画素領域を備える撮像素子を備え、前記撮像素子から画像信号を得る撮像装置の制御方法であって、前記単位画素領域に含まれる第１の画素と第２の画素の電荷の蓄積時間をそれぞれ第１の蓄積時間および第２の蓄積時間として設定する設定ステップと、フリッカーの光量変化特性を検出するために用いる画像信号を取得する第１のモードと被写体輝度を検出するために用いる画像信号を取得する第２のモードとのいずれかを選択するモード選択ステップと、を有し、前記設定ステップでは、前記モード選択ステップで前記第１のモードが選択された場合、前記複数の単位画素領域に含まれる複数の前記第１の画素の前記第１の蓄積時間の重心位置である第１の重心位置と、前記複数の単位画素領域に含まれる複数の前記第２の画素の前記第２の蓄積時間の重心位置である第２の重心位置とが一致するように、前記第１の蓄積時間と前記第２の蓄積時間を設定し、さらに、前記設定ステップでは、前記第１のモードでフリッカーが検出された後に前記モード選択ステップで前記第２のモードが選択された場合は、当該フリッカーの光量変化特性に基づいて前記第１の蓄積時間および前記第２の蓄積時間を設定し、前記第１のモードでフリッカーが検出されておらず、その後に前記モード選択ステップで前記第２のモードが選択された場合は、フリッカーの光量変化特性に依らずに前記第１の蓄積時間および前記第２の蓄積時間を設定することを特徴とする。
【手続補正３】
【補正対象書類名】明細書
【補正対象項目名】００１１
【補正方法】変更
【補正の内容】
【００１１】
本発明による制御プログラムは、２次元マトリックス状に配列された複数の単位画素領域を備える撮像素子を備え、前記撮像素子から画像信号を得る撮像装置で用いられる制御プログラムであって、前記撮像装置が備えるコンピュータに、前記単位画素領域に含まれる第１の画素と第２の画素の電荷の蓄積時間をそれぞれ第１の蓄積時間および第２の蓄積時間として設定する設定ステップと、フリッカーの光量変化特性を検出するために用いる画像信号を取得する第１のモードと被写体輝度を検出するために用いる画像信号を取得する第２のモードとのいずれかを選択するモード選択ステップと、を実行させ、前記設定ステップでは、前記モード選択ステップで前記第１のモードが選択された場合、前記複数の単位画素領域に含まれる複数の前記第１の画素の前記第１の蓄積時間の重心位置である第１の重心位置と、前記複数の単位画素領域に含まれる複数の前記第２の画素の前記第２の蓄積時間の重心位置である第２の重心位置とが一致するように、前記第１の画素と前記第２の画素の蓄積時間を設定し、さらに、前記設定ステップでは、前記第１のモードでフリッカーが検出された後に前記モード選択ステップで前記第２のモードが選択された場合は、当該フリッカの光量変化特性に基づいて前記第１の蓄積時間および前記第２の蓄積時間を設定し、前記第１のモードでフリッカが検出されておらず、その後に前記モード選択ステップで前記第２のモードが選択された場合は、フリッカの光量変化特性に依らずに前記第１の蓄積時間および前記第２の蓄積時間を設定することを特徴とする。
【手続補正４】
【補正対象書類名】明細書
【補正対象項目名】００１２
【補正方法】変更
【補正の内容】
【００１２】
本発明によれば、被写体の光量変化特性を精度よく算出するとともに測光の際のダイナミックレンジを拡大することができる。
【手続補正５】
【補正対象書類名】明細書
【補正対象項目名】００７４
【補正方法】削除
【補正の内容】
【手続補正６】
【補正対象書類名】特許請求の範囲
【補正対象項目名】全文
【補正方法】変更
【補正の内容】
【特許請求の範囲】
【請求項１】
２次元マトリックス状に配列された複数の単位画素領域を備える撮像素子を備え、前記撮像素子から画像信号を得る撮像装置であって、
前記単位画素領域に含まれる第１の画素と第２の画素の電荷の蓄積時間をそれぞれ第１の蓄積時間および第２の蓄積時間として設定する設定手段と、
フリッカーの光量変化特性を検出するために用いる画像信号を取得する第１のモードと被写体輝度を検出するために用いる画像信号を取得する第２のモードとのいずれかを選択するモード選択手段と、を有し、
前記設定手段は、前記モード選択手段によって前記第１のモードが選択された場合、前記複数の単位画素領域に含まれる複数の前記第１の画素の前記第１の蓄積時間の重心位置である第１の重心位置と、前記複数の単位画素領域に含まれる複数の前記第２の画素の前記第２の蓄積時間の重心位置である第２の重心位置とが一致するように、前記第１の蓄積時間と前記第２の蓄積時間を設定し、
さらに、前記設定手段は、前記第１のモードでフリッカーが検出された後に前記モード選択手段により前記第２のモードが選択された場合は、当該フリッカーの光量変化特性に基づいて前記第１の蓄積時間および前記第２の蓄積時間を設定し、前記第１のモードでフリッカーが検出されておらず、その後に前記モード選択手段により前記第２のモードが選択された場合は、フリッカーの光量変化特性に依らずに前記第１の蓄積時間および前記第２の蓄積時間を設定することを特徴とする撮像装置。
【請求項２】
前記第１の蓄積時間と前記第２の蓄積時間とは、少なくとも一部が重なることを特徴とする請求項１に記載の撮像装置。
【請求項３】
前記設定手段は、前記モード選択手段によって前記第１のモードが選択された場合、前記第１の蓄積時間と前記第２の蓄積時間を同一の長さに設定することを特徴とする請求項２に記載の撮像装置。
【請求項４】
前記設定手段は、前記モード選択手段によって前記第２のモードが選択された場合、前記第１の重心位置と前記第２の重心位置とが一致しないように、前記第１の蓄積時間と前記第２の蓄積時間を設定することを特徴とする請求項２又は３に記載の撮像装置。
【請求項５】
前記設定手段は、前記モード選択手段によって前記第２のモードが選択された場合、記第１の蓄積時間と前記第２の蓄積時間を互いに異なる長さに設定することを特徴とする請求項２乃至４のいずれか１項に記載の撮像装置。
【請求項６】
前記第１の画素と前記第２の画素は互いに感度が異なることを特徴とする請求項１乃至５のいずれか１項に記載の撮像装置。
【請求項７】
前記設定手段は、前記モード選択手段によって前記第２のモードが選択された場合、前記第１の画素と前記第２の画素のうち、感度の高い方の蓄積時間の長さが長くなるように設定することを特徴とする請求項６に記載の撮像装置。
【請求項８】
前記撮像素子は、電荷蓄積を開始するタイミングが列方向においてそれぞれ異なることを特徴とする請求項１乃至７のいずれか１項に記載の撮像装置。
【請求項９】
前記設定手段は、前記モード選択手段により前記第１のモードが設定された場合、前記第１の蓄積時間および前記第２の蓄積時間を、前記フリッカーの光量変化の１周期よりも短く設定することを特徴とする請求項１乃至８のいずれか１項に記載の撮像装置。
【請求項１０】
２次元マトリックス状に配列された複数の単位画素領域を備える撮像素子を備え、前記撮像素子から画像信号を得る撮像装置の制御方法であって、
前記単位画素領域に含まれる第１の画素と第２の画素の電荷の蓄積時間をそれぞれ第１の蓄積時間および第２の蓄積時間として設定する設定ステップと、
フリッカーの光量変化特性を検出するために用いる画像信号を取得する第１のモードと被写体輝度を検出するために用いる画像信号を取得する第２のモードとのいずれかを選択するモード選択ステップと、を有し、
前記設定ステップでは、前記モード選択ステップで前記第１のモードが選択された場合、前記複数の単位画素領域に含まれる複数の前記第１の画素の前記第１の蓄積時間の重心位置である第１の重心位置と、前記複数の単位画素領域に含まれる複数の前記第２の画素の前記第２の蓄積時間の重心位置である第２の重心位置とが一致するように、前記第１の蓄積時間と前記第２の蓄積時間を設定し、
さらに、前記設定ステップでは、前記第１のモードでフリッカーが検出された後に前記モード選択ステップで前記第２のモードが選択された場合は、当該フリッカーの光量変化特性に基づいて前記第１の蓄積時間および前記第２の蓄積時間を設定し、前記第１のモードでフリッカーが検出されておらず、その後に前記モード選択ステップで前記第２のモードが選択された場合は、フリッカーの光量変化特性に依らずに前記第１の蓄積時間および前記第２の蓄積時間を設定することを特徴とする制御方法。
【請求項１１】
２次元マトリックス状に配列された複数の単位画素領域を備える撮像素子を備え、前記撮像素子から画像信号を得る撮像装置で用いられる制御プログラムであって、
前記撮像装置が備えるコンピュータに、
前記単位画素領域に含まれる第１の画素と第２の画素の電荷の蓄積時間をそれぞれ第１の蓄積時間および第２の蓄積時間として設定する設定ステップと、
フリッカーの光量変化特性を検出するために用いる画像信号を取得する第１のモードと被写体輝度を検出するために用いる画像信号を取得する第２のモードとのいずれかを選択するモード選択ステップと、を実行させ、
前記設定ステップでは、前記モード選択ステップで前記第１のモードが選択された場合、前記複数の単位画素領域に含まれる複数の前記第１の画素の前記第１の蓄積時間の重心位置である第１の重心位置と、前記複数の単位画素領域に含まれる複数の前記第２の画素の前記第２の蓄積時間の重心位置である第２の重心位置とが一致するように、前記第１の画素と前記第２の画素の蓄積時間を設定し、
さらに、前記設定ステップでは、前記第１のモードでフリッカーが検出された後に前記モード選択ステップで前記第２のモードが選択された場合は、当該フリッカの光量変化特性に基づいて前記第１の蓄積時間および前記第２の蓄積時間を設定し、前記第１のモードでフリッカが検出されておらず、その後に前記モード選択ステップで前記第２のモードが選択された場合は、フリッカの光量変化特性に依らずに前記第１の蓄積時間および前記第２の蓄積時間を設定することを特徴とする制御プログラム。